(57)【要約】【課題】収納性の向上した冷蔵庫を提供することを目的とする。【解決手段】貯蔵室を備えた冷蔵庫であって、この貯蔵室を開閉する引き出し扉と、この引き出し扉と共に移動する下段容器８と、を備え、下段容器８の底面に凹部９を有し、凹部９には立て収納容器１１が設置されて、立て収納容器１１は、縦長で上部に開口が形成され、少なくとも第一の面から隣り合う第二の面よりも外側に延伸した板状の仕切り部１１ｂを有する。【選択図】  図７
2012172909.tif 000002
【特許請求の範囲】
【請求項１】
貯蔵室を備えた冷蔵庫であって、前記貯蔵室を開閉する引き出し扉と、該引き出し扉と共に移動する下段容器と、を備え、
前記下段容器の底面に凹部を有し、該凹部には立て収納容器が設置されて、
該立て収納容器は、縦長で上部に開口が形成され、少なくとも第一の面から隣り合う第二の面よりも外側に延伸した板状の仕切り部を有することを特徴とする冷蔵庫。
【請求項２】
前記下段容器上に配置される上段容器を備え、
前記凹部は前記下段容器の前側に形成されて、前記立て収納容器を前記凹部に設置した状態で、前記開口が開放した状態を維持するように前記上段容器は前記下段容器上を前後に移動することを特徴とする、請求項１記載の冷蔵庫。
【請求項３】
前記立て収納容器は折りたたんだ状態で仕切り部材となることを特徴とする、請求項１又は２記載の冷蔵庫。
【請求項４】
前記立て収納容器の前記仕切り部と、該仕切り部に隣接する前記立て収納容器の第二の面と、前記下段容器の側面及び底面とで、収納空間を形成することを特徴とする、請求項１乃至３のいずれかに記載の冷蔵庫。
【請求項５】
前記立て収納容器の高さは、前記上段容器底面部よりも低く、前記下段容器内で移動が可能であることを特徴とする、請求項２に記載の冷蔵庫。
【請求項６】
縦長で上部に開口が形成され、少なくとも第一の面から隣り合う第二の面よりも外側に延伸した板状の仕切り部を有する立て収納容器。
【発明の詳細な説明】
【技術分野】
【０００１】
本発明は、冷蔵庫及び立て収納容器に関する。
【背景技術】
【０００２】
本技術分野の背景技術として、特許第３６９８５６８号公報（特許文献１），特許第２６６７６４３号公報（特許文献２）記載のものがある。
【０００３】
特許文献１には、野菜室の引出ドアに取付けられた第１の収納ケースと、前記第１の収納ケースの上部に移動可能に設けられた第２の収納ケースと、前記第１の収納ケースを分割する仕切板と、を備え、前記第１の収納ケースと前記第２の収納ケースとで前記野菜室の収納空間を構成し、前記収納空間は、前記仕切板で仕切られた一方の空間であって、前記第２の収納ケースの移動位置に関わらず上方の少なくとも一部が開放された第１の収納スペースと、前記仕切板で仕切られた他方の空間であって、野菜室の引出ドアを閉じた状態において、上方を前記第２の収納ケースで覆われた第２の収納スペースと、前記第２の収納ケースで形成される第３の収納スペースと、から構成され、前記第１収納スペースと第２の収納スペース及び第３の収納スペースは、垂直面と水平面とで構成される略直方体の収納空間であることを特徴とする冷蔵庫に関する事項が記載されている。
【０００４】
特許文献２には、冷蔵庫内に配置された野菜を収納するための野菜収納トレーと、前記野菜収納トレー内に設けられた仕切板と、前記仕切板と前記野菜収納トレーの内面とにより、前記野菜収納トレー内に、取り外し可能に保持された野菜収納容器を備え、前記野菜収納容器は略直方体の形状であってその横幅より高さ方向の長さが長い縦長形状であり、前記野菜収納容器の上面に野菜を出し入れする投入口を有し、前記野菜収納容器の下方部に通気穴を有し、前記野菜収納トレーに保持された前記野菜収納容器の上面縁部は、前記野菜収納トレーの上面縁部より所定長だけ低い位置に配置される、ことを特徴とする冷蔵庫に関する事項が記載されている。
【先行技術文献】
【特許文献】
【０００５】
【特許文献１】特許第３６９８５６８号公報
【特許文献２】特許第２６６７６４３号公報
【発明の概要】
【発明が解決しようとする課題】
【０００６】
しかしながら、特許文献１記載のものでは、収納の仕方によっては、野菜室開閉時の振動で収納物同士が接触して傷つくおそれがあった。例えば、第１の収納ケースに柔らかい葉物野菜（ホウレン草，小松菜，チンゲン菜等）や長物野菜（人参，なす，きゅうり等）を収納した場合、硬さの異なる野菜同士が接触することで損傷するおそれがあった。
【０００７】
また、第２の収納ケースに葉物野菜や長物野菜を収納した場合、横に寝かせて収納しなければならず、第２の収納ケース内に貯まった液体等に浸かることで、腐食や鮮度低下のおそれがあった。特に、長物野菜は、立てた状態で収納したほうが鮮度を長期維持できることが知られている。
【０００８】
次に、特許文献２記載のものでは、用途が限定的であり、使い勝手にかけることがあった。特に、野菜容器下部に通気穴を設けていることから、野菜容器に収納した野菜からの水分が通気穴から洩れ出て、他の食品に付着するおそれがあった。
【０００９】
また、野菜容器が必要ない場合は、野菜室から取り出して保管しておかなければならず、紛失等のおそれがあった。
【００１０】
そこで本発明は、収納性の向上した冷蔵庫を提供することを目的とする。
【課題を解決するための手段】
【００１１】
上記課題を解決するために、例えば特許請求の範囲に記載の構成を採用する。その一例として、貯蔵室を備えた冷蔵庫であって、前記貯蔵室を開閉する引き出し扉と、該引き出し扉と共に移動する下段容器と、を備え、前記下段容器の底面に凹部を有し、該凹部には立て収納容器が設置されて、該立て収納容器は、縦長で上部に開口が形成され、少なくとも第一の面から隣り合う第二の面よりも外側に延伸した板状の仕切り部を有する。
【発明の効果】
【００１２】
本発明によれば、収納性の向上した冷蔵庫を提供することができる。
【図面の簡単な説明】
【００１３】
【図１】本発明の一実施例の冷蔵庫の外観斜視図である。
【図２】図１のＡ−Ａ断面図であって、冷蔵庫の野菜室扉を引き出した状態の要部側断面である。
【図３】本発明の一実施例の収納容器の外観斜視図である。
【図４】図３の収納容器の平面図である。
【図５】図３の収納容器を変形させた状態の図である。
【図６】図３の収納容器を冷蔵室に設置した状態の概観斜視図である。
【図７】図１のＢ−Ｂ断面図であって、図３の収納容器を野菜室に設置した状態の正面断面図である。
【図８】図１のＣ−Ｃ断面図であって、図７の上面図である。
【発明を実施するための形態】
【００１４】
本発明の一実施形態について、図面を参照して説明する。
【００１５】
図１は、本発明の一実施例の冷蔵庫の外観斜視図である。本実施例の冷蔵庫本体１は、上から冷蔵室２，上段冷凍室３，下段冷凍室４，野菜室５の各貯蔵室が区画形成されている。上段冷凍室３はさらに、製氷室３ｂ，急冷凍室３ｃに左右に区画されている。
【００１６】
冷蔵室２の前面開口には、冷蔵室２を開閉するヒンジ機構で左右端をそれぞれ回転自在に支持された観音開き式の冷蔵室扉２ａを有している。上段冷凍室３，下段冷凍室４，野菜室５の前面開口には、それぞれ引き出し式の上段冷凍室扉３ａ（製氷室扉３ｂ１，急冷凍室扉３ｃ１），下段冷凍室扉４ａ，野菜室扉５ａを有している。
【００１７】
例えば、調理済み食品や半調理食品，調味料，卵，ビン・缶飲料などは、約５〜７℃の冷蔵室２へ貯蔵される。生鮮魚介類や精肉類，魚肉や畜肉の練り物は、冷蔵室２内に設けられた約０〜１℃の氷温室へ貯蔵される。ヨーグルト，チーズなどの乳製品は、冷蔵室２内に設けられた約１〜３℃のチルド室へ貯蔵される。なお、本実施例では、図６に示すように、氷温室とチルド室を温度切替可能な切替室２ｂとしている。
【００１８】
氷，アイスクリーム，ホームフリージング食品，市販冷凍食品，長期貯蔵を必要とする生鮮魚介類や精肉類などは、約−１８℃の急冷凍室３ｃあるいは下段冷凍室４へ貯蔵される。果物や野菜類は、約２〜４℃でかつ水分の蒸散を抑制する野菜室５へ収納される。また、各貯蔵室は温度を基本とした管理が行われている。
【００１９】
次に、図２は、図１のＡ−Ａ断面図であって、冷蔵庫の野菜室扉を引き出した状態の要部側断面である。図３は、本発明の一実施例の収納容器の外観斜視図である。図４は、図３の収納容器の平面図である。図５は、図３の収納容器を変形させた状態の図である。図６は、図３の収納容器を冷蔵室に設置した状態の概観斜視図である。図７は、図１のＢ−Ｂ断面図であって、図３の収納容器を野菜室に設置した状態の正面断面図である。図８は、図１のＣ−Ｃ断面図であって、図７の上面図である。
【００２０】
野菜室５内には、野菜室扉５ａと共に引き出される下段容器８が収容されている。下段容器８の上方には、下段容器８の左右フランジに載置された上段容器７を備えている。すなわち、引き出し式の野菜室扉５ａを引き出すことによって、下段容器８と上段容器７が共に引き出される構成である。
【００２１】
なお、下段容器８のみ野菜室扉５ａの引き出しと共に引き出され、上段容器７は引き出されない構成であってもよい。この場合、野菜室扉５ａ開放後、上段容器７を使用者が引き出すことで、下段容器８の左右フランジをスライドして上段容器７が前後に移動する構成とする。
【００２２】
いずれの構成においても、図２に示すように、上段容器７が下段容器８に位置規制されている状態と、上段容器７が下段容器８上を奥側にスライドして下段容器８内の収納物を出し入れ可能な状態との間で移動自在である。
【００２３】
次に、下段容器８の底面には、手前側に２Ｌペットボトルなどの飲料容器が収納可能な凹部９が設置されている。これにより、飲料容器を立てた状態で収納可能である。
【００２４】
凹部９には、市販されている一般的な１Ｌから２Ｌのペットボトル入り飲料や、１Ｌの紙パック入り飲料など、飲料品が立てた状態で収納可能である。また、凹部９は、上段容器７を摺動方向１０側（図２参照）にスライドさせなくても、常に上段容器７により閉塞されない構成である。すなわち、凹部９の位置は、下段容器８底面から野菜室５上面までが、開放した収納空間となる。そのため、凹部９には縦長の貯蔵物を収納することができる。
【００２５】
ここで、下段容器８には、主として大物や表皮が固く傷が付きにくい食品，長物の食品などが収納される。例えば、野菜類ではブロッコリー，カリフラワー，キャベツ，ハクサイ，レタス，ナス，ダイコン，カブ，カボチャが収納される。果物類ではグレープフルーツ，メロン，スイカなどが収納される。
【００２６】
また、上段容器７には、主として使いかけの小物や、表皮が柔らかく傷が付きやすい食品などが収納される。例えば、野菜類ではトマト，オクラ，シメジ，シイタケ，モヤシ，エダマメ，サヤインゲン，ナメコ，マイタケ，ピーマン，ニンジンなどが収納される。果物類ではモモ，ビワ，ブドウ，イチゴ，サクランボ，リンゴ，スモモ，レモン，オレンジなどが収納される。
【００２７】
しかし実際には、上段容器７に柔らかく傷みやすいものと、表皮が比較的固いものとが混在して収納されることが多い。さらに、ホウレンソウ，キュウリ，ごぼう，長イモなど、細長いものも、上段容器７に収納される傾向にある。下段容器８についても同様の傾向にある。
【００２８】
すなわち、上段容器７と下段容器８の２段階の収納部を備えているにもかかわらず、現状の収納状況は、さまざまな食品が混在した収納形態となっている場合が多い。
【００２９】
すると、使いかけの食品を捜したり、貯蔵室の奥の食品を取り出したり、新たに収納するための場所を確保したりする場合、食品が重なったり隣り合ったりすることで、食品の傷付きや劣化するおそれがあった。
【００３０】
そこで、本実施例では、凹部９に立て収納容器１１を設置可能な構成としている。立て収納容器１１は、前述したホウレンソウ，キュウリ，ごぼう，長イモなど，細長く横に寝かせて収納するには不適な食品を、立てた状態で他の収納空間と区画して保存するのに好適である。
【００３１】
この立て収納容器１１の構成について、図３から図５を参照して説明する。立て収納容器１１は、横幅よりも高さ方向が長い縦長の直方体状であり、上方に長物野菜やチューブ入り調味料類を出し入れ可能な開口が形成されている。また、容器底面１１ａを有しており、有底形状としている。すなわち、立て収納容器１１の下方部は閉塞されているため、庫内を循環する冷気が直接流入することを防ぎ、乾燥を抑制することができる。
【００３２】
また、水分が付着した野菜等であっても、その水分が立て収納容器１１から外部に流出することを防いで、下段容器８に収納されている他の食品を濡らすことなく、衛生面からも収納性が向上する。
【００３３】
また、根菜などはビタミン類が付着した水分によって流出することが知られている。そこで、鮮度や栄養を保つために、土がついたまま保存したい場合がある。本実施例では、その際も立て収納容器１１の下方部が密閉されているため、立て収納容器１１から土や泥が流れ出ずに、他の収納物を汚すことを抑制できる。
【００３４】
さらに好ましくは、立て収納容器１１のコーナー部は、丸みを有しているため、収納物がコーナー部で傷付くことを防止できる。
【００３５】
次に、立て収納容器１１の側壁のうち、少なくとも第一の面１１ａ２（一の側壁）から、隣り合う第二の面１１ａ２（他の側壁）よりも外側に延伸した板状の仕切り部１１ｂを具備している。仕切り部１１ｂは、第二の面１１ａ２に対称となるように、第一の面１１ａ１とほぼ同一面となる形状で延在している。
【００３６】
立て収納容器１１は、図７及び図８に示すように、下段容器８の凹部９に納まる寸法形状である。
【００３７】
なお、凹部９は、下段容器８の前方角部に設けており、下段容器８の前壁８ａ，側壁８ｂ，底壁と、立て収納容器１１の仕切り部１１ｂとによって、一つの収納空間が形成される。この収納空間には、ペットボトル入り飲料６等が収納可能である。すなわち、立て収納容器１１を凹部９に設置することで、二つの収納空間を形成することができる。この構成において、容器底面１１ａを有する収納空間は、野菜やチューブ入り食品を立てた状態で収納できる。
【００３８】
また、下段容器８の前壁，側壁，底壁と、立て収納容器１１の仕切り部１１ｂとによって形成された隣り合う収納空間には、ペットボトル入り飲料６等を立てた状態で収納できる。この場合、仕切り部１１ｂによってペットボトル入り飲料６等の転倒や位置ずれを防止することができる。
【００３９】
なお、両者の収納空間を、立てた状態で野菜を収納するスペースとして使用することもできる。すなわち、立て収納容器１１を複数設けることなく、単一の立て収納容器１１によって、一方を野菜収納、他方をペットボトル入り飲料の収納として使用する形態と、両方を野菜収納として使用する形態とを、実現することができる。よって、使い勝手が向上する。
【００４０】
立て収納容器１１は、下段容器８に設置した状態で、上段容器底面７ａよりも下方に位置する高さ寸法とする。これにより、図７に示すように、凹部９に限らず、下段容器８の底面上を自由に配置変更可能である（図７の立て収納容器１１′参照）。
【００４１】
上段容器７は、図８に示すように、下段容器８の凹部９に対応する部分を切り欠いた形状とする。すなわち、凹部９の上方は開放された収納空間となる。これにより、凹部９に収納したペットボトル入り飲料等は、凹部９，下段容器８の前壁８ａ，側壁８ｂ，上段容器７の切り欠き部７ｂによって位置規制されるので、転倒を防止できる。
【００４２】
次に、図５に示すように、立て収納容器１１は折りたたんだ状態に可変し、収納の仕切りとしても使用可能である。例えば、折りたたんだ板状の形態の立て収納容器１１を、下段容器８や他の貯蔵室の仕切り部材として使用することができる。特に、市販の２Ｌペットボトルを２本、凹部９に収納する場合、立て収納容器１１を取り外して、仕切り部材として別途使用すれば、紛失を防止できる。
【００４３】
次に、立て収納容器１１を冷蔵室２に適用した場合を、図６に示す。冷蔵室２内には、冷蔵室２内を上下に仕切る棚１２が複数設置されている。この棚１２上に、立て収納容器１１を横にした状態で設置する。例えば、仕切り部１１ｂを棚１２に接するように配置した場合、立て収納容器１１内にペットボトル入り飲料６や、その他の転がり易い食品等を収納することで、収納物が位置規制されて、冷蔵室２内の収納性が向上する。
【００４４】
また、仕切り部１１ｂを棚１２から離れた状態で、冷蔵室２内壁に端部が接するように設置すれば、仕切り部１１ｂ，棚１２，冷蔵室２内壁とで収納空間が形成される。ここにペットボトル入り飲料６や、その他の転がり易い食品等を収納することでも、収納物が位置規制されて、冷蔵室２内の収納性が向上する。
【００４５】
また、横にした立て収納容器１１の上には、背の低い瓶や缶類などの食品を収納することが可能となり、食品収納性は格段に向上する。
【００４６】
以上より、本実施例は、貯蔵室を備えた冷蔵庫であって、この貯蔵室を開閉する引き出し扉と、この引き出し扉と共に移動する下段容器８と、を備え、下段容器８の底面に凹部９を有し、凹部９には立て収納容器１１が設置されて、立て収納容器１１は、縦長で上部に開口が形成され、少なくとも第一の面から隣り合う第二の面よりも外側に延伸した板状の仕切り部１１ｂを有する。これにより、野菜室５に収納性の高い収納部を確保でき、分類整理のしやすさが向上する。
【００４７】
また、下段容器８上に配置される上段容器７を備え、凹部９は下段容器８の前側に形成されて、立て収納容器１１を凹部９に設置した状態で、立て収納容器１１の開口が開放した状態を維持するように上段容器７は下段容器８上を前後に移動する。これにより、収納物を混在した場合、貯蔵室扉の開閉時の衝撃による傷付きが抑制でき、収納青果物の鮮度を保持することができる。
【００４８】
また、立て収納容器１１は折りたたんだ状態で仕切り部材となる。これにより、取り外し移動が可能であるため、使い勝手が向上する。
【００４９】
また、立て収納容器１１の仕切り部１１ｂと、仕切り部１１ｂに隣接する立て収納容器の第二の面１１ａ２と、下段容器８の側面及び底面とで、収納空間を形成する。これにより、収納性が向上する。
【００５０】
また、立て収納容器１１の高さは、上段容器７底面部よりも低く、下段容器８内で移動が可能である。これにより、使い勝手が向上する。
【００５１】
また、下段容器はその背面部がほぼ閉塞されており、立て収納容器は通気孔を設けないボックス構造である。そのため、立て収納容器内の収納物は、庫内を循環する冷気に直接触れることが少なく、且つ容器底面に溜まる水分の蒸発によって、収納物の乾燥を防ぎ、高湿状態が保たれて、収納物の鮮度を長く保持することができる。
【符号の説明】
【００５２】
１  冷蔵庫本体
２  冷蔵室
５  野菜室
５ａ  野菜室扉
６  ペットボトル入り飲料
７  上段容器
７ａ  上段容器底面
７ｂ  切り欠き部
８  下段容器
８ａ  前壁
８ｂ  側壁
９  凹部
１０  摺動方向
１１  立て収納容器
１１ａ  容器底面
１１ｂ  仕切り部
１１ａ１  第一の面（一の側壁）
１１ａ２  第二の面（他の側壁）
１２  棚
【図１】
2012172909.tif 000003
【図２】
2012172909.tif 000004
【図３】
2012172909.tif 000005
【図４】
2012172909.tif 000006
【図５】
2012172909.tif 000007
【図６】
2012172909.tif 000008
【図７】
2012172909.tif 000009
【図８】
2012172909.tif 000010